(57)【要約】本発明は、感度調整機能を有する液漏れ検知センサーに係り、より詳細には、発光部によって放出された光量が、漏れ液によって受光される光量が変化することを検知することができるため、漏れの有無を簡単かつ容易に測定することができるという利便性があり、また、漏れ液の粘度及び設置場所の傾きなどに応じてセンサーの検知位置を調節することができるため、漏れ液の粘度の高低に関係なく検知することができる時間、すなわちセンサーの検知感度を調節することができるという利便性がある、感度調整機能を有する液漏れ検知センサーに関する。本発明は、光源を用いた液漏れ検知センサーにおいて、固定孔を有する固定板、及び前記固定板と一体に設けられ、角度調節用突起を有する連結部を備えた固定連結具と、前記固定連結具の角度調節用突起が挿入される挿入連結具と、前記挿入連結具に結合されるハウジングと、ハウジングの内側に挿設され、光を受ける受光部及び光を発散する発光部が設置された基板と、前記ハウジングに設置されたレンズ部とを含むことを特徴とする。【選択図】図１ａ
2021510413.tif 000002
【特許請求の範囲】
【請求項１】
光源を用いた液漏れ検知センサーにおいて、
固定孔を有する固定板、及び前記固定板と一体に設けられ、角度調節用突起を有する連結部を備えた固定連結具と、
前記固定連結具の前記角度調節用突起が挿入される挿入連結具と、
前記挿入連結具に結合されるハウジングと、
前記ハウジングの内側に挿設され、光を受ける受光部及び光を発散する発光部が設置された基板と、
前記ハウジングに設置されたレンズ部とを含むことを特徴とする、感度調整機能を有する液漏れ検知センサー。
【請求項２】
前記挿入連結具は、前記連結部の通孔に嵌め込まれ、外周面に山と谷が連続して形成された角度調節部を備える挿入部と、一体に前記ハウジングに結合されるカバー部とを形成することを特徴とする、請求項１に記載の感度調整機能を有する液漏れ検知センサー。
【請求項３】
前記挿入連結具は、前記連結部の通孔に嵌め込まれ、外周面に山と谷が連続して形成された角度調節部を備える挿入部と、一体に前記ハウジングに結合されるカバー部とを形成することを特徴とする、請求項１に記載の感度調整機能を有する液漏れ検知センサー。
【請求項４】
前記角度調節用突起は、前記連結部の前記通孔の内周面に突設され、一定の間隔で２つ以上備えられたことを特徴とする、請求項１に記載の感度調整機能を有する液漏れ検知センサー。
【請求項５】
前記連結部の前記通孔の前記内周面には係止溝が設けられ、前記通孔に挿入される前記挿入連結具の結合突起が前記係止溝に係合されて相互分離が防止されることを特徴とする、請求項１に記載の感度調整機能を有する液漏れ検知センサー。
【発明の詳細な説明】
【技術分野】
【０００１】
本発明は、感度調整機能を有する液漏れ検知センサーに係り、より詳細には、発光部によって放出された光量が、漏れた液によって受光される光量が変化することを検知（Ｄｅｔｅｃｔｉｏｎ）することができるため、漏れ（Ｌｅａｋ）の有無を簡単かつ容易に測定することができるという利便性があり、また、漏洩液体の粘度及び設置場所の傾きなどに応じてセンサーの検知位置を調節することができるため、漏洩液体の粘度の高低に関係なく検知することができる時間、すなわちセンサーの検知感度を調節することができるという利便性がある、感度調整機能を有する液漏れ検知センサーに関する。
【背景技術】
【０００２】
一般に、漏水及び漏油・漏洩の際に漏水、漏油または漏洩を検知するためのさまざまな方式の漏れセンサーが用いられているが、代表的に、ケーブル型漏れセンサー、バンド型漏れセンサー、及びモジュール型漏れセンサーが挙げられる。
前記ケーブル型漏れセンサーは、様々な液体（水、油など）の露出を検知して液体の漏れ地点まで正確かつ迅速に知らせる漏れ検知センサーである。漏水及び漏油の検知は、導線に沿って流れる電流に、漏れた水または油の抵抗によって電位差が発生することを検知線で検知することにより、漏水及び漏油の確認が可能である。
【０００３】
ところが、このようなケーブル型漏れセンサーは、設置費用が高価であり、センサーケーブルの長さが決まっており顧客の選択幅が少ない。また、センサー設置の際に別途のブラケットを使用しなければならないので設置が難しく、追加費用がかかるという問題点があり、物性の検知後に物性を除去するのに多くの時間がかかるとともに、外部機器との接続が難しいという問題点がある。
【０００４】
一方、バンド型漏れ検知センサー（ＬＥＡＫ  ＤＥＴＥＣＴＩＯＮ  ＳＥＮＳＯＲ）は、電線を介して電流が流れる間に水が電線に触れると、抵抗値が変化し、その抵抗値の変化に基づいて水漏れか否かを検知することができる。
【０００５】
このようなバンド型漏れ検知センサーは、低コストで広い面積の水漏れを検知することができ、設置が簡単ではあるが、高い湿度または外部の衝撃によってエラーの発生率が高く、正確な水漏れ位置を容易に確認することができないという問題点があり、設置の連携性がなく製品設置の粗雑さがある。
【０００６】
また、性能に比べて価格が高いという問題点があり、設置時に、床に固定するブラケットを別個に設置しなければならないので設置が難しく、外部機器の接続時に単純なリレー接点方式以外の接続デバイスがないという問題点がある。
【０００７】
モジュール型漏れセンサーは、プラスチックケースの内部にフォトセンサー（受光部、発光部）を位置させ、液体を検知していない状態では発光部のビームを受光部で受け入れるが、発光部のビームが液体を検知すると、屈折率の変化によりビームが受光部に行けなくなるので、光の受光された状態から水漏れを検知する。
【０００８】
このようなモジュール型漏れセンサーは、低コストで水漏れ危険部分を検知することができ、設置が簡単であり、周辺装置に関係なく、自体的警報が可能であるとともに、湿度によるエラーがないが、ケーブルタイプ（ＣＡＢＬＥ  ＴＹＰＥ）とは異なり、特定の位置の水漏れ有無しか確認できないという問題点があり、周辺装置との接続が難しいという問題点がある。
【０００９】
また、別のセンサー固定方案を計画しなければならないので、製品の設置時に多くの時間がかかるという問題点があり、漏水または漏洩する液体の粘度および地面の傾きに関係なく危険地域の特定部位の一箇所しか検出できないので、センサーを設置する地面の状態または漏れる液体の粘度に応じて検知時間がそれぞれ異なるように測定されるという問題点がある。
【発明の概要】
【発明が解決しようとする課題】
【００１０】
本発明は、かかる問題点に鑑みてなされたもので、その目的は、漏水・漏洩する液体の粘度および地面の傾きに関係なくセンサーを簡単に設置し、地面の状態または漏れる液体の粘度に応じて検知するセンサーの位置を調整して、漏洩液体に応じて検知される感度、すなわち、漏水・漏洩の際に検知する時間を調節することができる利便性がある、感度調整機能を有する液漏れ検知センサーを提供することにある。
【課題を解決するための手段】
【００１１】
上記の目的は、光源を用いた液漏れ検知センサーにおいて、固定孔を有する固定板、及び前記固定板と一体に設けられ、角度調節用突起を有する連結部を備えた固定連結具と、前記固定連結具の角度調節用突起が挿入される挿入連結具と、前記挿入連結具に結合されるハウジングと、ハウジングの内側に挿設され、光を受ける受光部及び光を発散する発光部が設置された基板と、前記ハウジングに設置されたレンズ部とを含むことを特徴とする、感度調整機能を有する液漏れ検知センサーにより達成される。
【００１２】
前記角度調節用突起は、連結部の通孔の内周面に突設され、一定の間隔で２つ以上備えられたことを特徴とする、感度調整機能を有する液漏れ検知センサーにより達成される。
【００１３】
前記連結部の通孔の内周面には係止溝が設けられ、通孔に挿入される挿入連結具の結合突起が係止溝に係合されて相互分離が防止されることを特徴とする、感度調整機能を有する液漏れ検知センサーにより達成される。
【発明の効果】
【００１４】
このような本発明は、発光部によって放出された光量が、漏れ液によって受光される光量が変化することを検知することができるため、漏れの有無を簡単かつ容易に測定することができるという利便性があり、また、漏れ液の粘度及び設置場所の傾きなどに応じてセンサーの検知位置を調節することができるため、漏洩液体の粘度の高低に関係なく検知することができる時間、すなわち、センサーの検知感度を調節することができるという利便性があるなどの効果がある。
【図面の簡単な説明】
【００１５】
【図１ａ】本発明の技術が適用された感度調整機能を有する液漏れ検知センサーの外形を示す斜視図である。
【図１ｂ】本発明の技術が適用された感度調整機能を有する液漏れ検知センサーの外形を示す背面斜視図である。
【図２】本発明の技術が適用された感度調整機能を有する液漏れ検知センサーの構造を示す分解斜視図である。
【図３】本発明の技術が適用された感度調整機能を有する液漏れ検知センサーの構造を示す断面図である。
【図４ａ】本発明の技術が適用された感度調整機能を有する液漏れ検知センサーの設置場所に応じて設置したことを示す設置状態図である。
【図４ｂ】本発明の技術が適用された感度調整機能を有する液漏れ検知センサーの設置場所に応じて設置したことを示す設置状態図である。
【図５】本発明の技術が適用された感度調整機能を有する液漏れ検知センサーの位置を調節する方法を例示する例示図である。
【発明を実施するための形態】
【００１６】
以下、好適な実施形態を添付図面に基づいて詳細に説明する。添付の図１ａ及び図１ｂは本発明の技術が適用された感度調整機能を有する液漏れ検知センサーの外形を示す斜視図及び背面斜視図であり、図２は本発明の技術が適用された感度調整機能を有する液漏れ検知センサーの構造を示す分解斜視図である。これによれば、本発明の感度調整機能を有する液漏れ検知センサー１は、固定孔１１ａを有する固定板１１、及び前記固定板と一体に角度調節用突起１２ａを有する連結部１２を備えた固定連結具１０と、前記固定連結具１０の角度調節用突起１２ａが挿入される挿入連結具２０と、前記挿入連結具２０に結合されるハウジング３０と、前記ハウジング３０の内側に挿設され、光を受ける受光部及び光を発散する発光部が設置された基板４０と、前記ハウジングに設置されたレンズ部５０とを含む構造である。
【００１７】
この時、添付の図２及び図３に示されているように、前記角度調節用突起１２ａは、連結部１２に通孔を設け、通孔の内周面に突設されている。好ましくは、角度調節用突起１２ａが１８０度方向に向かい合う位置に設けられた構造であり、前記挿入連結具２０は、連結部１２の通孔に挿入され、外周面に山と谷が連続して形成された角度調節部２１ａを備える挿入部２１と、一体にハウジング３０に結合されるカバー部２２とを形成する構造である。
【００１８】
一方、前記連結部１２の通孔の内周面には係止溝１３が設けられ、通孔に挿入される挿入連結具２０の係止突起２３が係止溝１３に係合されて相互分離が防止される構造である。
【００１９】
上述した構造を持つ本発明は、添付の図４ａに示されているように地面が傾きのない平面であるか、添付の図４ｂに示されているように地面が一定の傾きを持っているところであっても、固定孔を有する固定板１１を地面に密着させた後、固定孔１１ａにボルトまたはネジを貫通させて地面に固定連結具１０を固設する。
【００２０】
前記固定連結具１０の設置が完了すると、固定連結具１０に設けられた角度調節用突起１２ａを備えた通孔に挿入連結具２０を挿入して結合する。この時、前記挿入連結具２０に、基板４０が内側に設置されたハウジング３０を結合した状態のものを使用することができ、また、固定連結具１０に挿入連結具２０、ハウジング３０の順に結合する方法もあるが、便宜上、挿入連結具２０とハウジング３０をまず結合した後、ハウジングに結合されている挿入連結具２０を固定連結具１０に設置することが好ましい。基板４０には、電源が供給されるように電源線が接続されているが、その構造及び説明は省略する。
【００２１】
上述のように本発明の液漏れ検知センサー１を地面に固設した後に使用することができる方法としては、第一に、レンズ部５０がハウジング３０の垂直中心線と一致するように整列させて使用する。第二に、漏れを検知しようとする液体が同じ粘度であっても、本発明のセンサーが設置された場所が添付の図４ｂに示されているように傾斜角を持つところであれば、ハウジング３０を回転させ、ハウジング３０の下部に設置されたレンズ部５０の方向を、添付の図５に示されているように図面上に表示されたθという角度範囲内で左右方向に調節して検知感度を調整することができる。
【００２２】
上記では、地面の傾斜度に応じてハウジング３０を回転させて、ハウジング３０の内部に設置された発光部及び受光部の位置を調節することができるので、検知感度を調節することができるが、漏れを検知しようとする液体の粘度が高いか低いときにも、各液体が地面に沿って移動する速度が異なるため、前記漏れを検知しようとする液体の粘度に応じても検知感度を調整することができる。
【００２３】
前記検知感度調整方法としては、固定連結具１０の通孔に挿入されている挿入連結具２０を分離し、ハウジング３０が結合されている挿入連結具２０を一定の方向に回転させた後、一定の角度で回転している挿入連結具２０を固定連結具１０の通孔に挿入して結合する。
【００２４】
前記固定連結具１０の通孔に挿入連結具２０を挿入すると、通孔の内側に設けられた角度調節用突起１２ａが、挿入連結具２０の外側面に連続する山と谷が形成されている角度調節部２１ａの谷に係合されることにより、回転が防止される。
【００２５】
もちろん、固定連結具１０の通孔に挿入連結具２０が結合されている状態で、挿入連結具２０を回転させることもできるが、各角度調節用突起１２ａと角度調節部２１ａが磨耗する現象が発生するため、望ましくはない。
【００２６】
上述のようにセンサーの設置が完了した後、制御器に備えられたスイッチを作動させると、発光部材を介して光が放出されるとともに光はレンズ部５０によって屈折を起こしながら分散し、分散した光は地面の表面によって反射されて受光部材に入光するので、光量が検出される。
【００２７】
例えば、発光部材によって設定された光量が９０００（ｃｄ）であるとき、受光部材に入光する光量は８５００〜８８００（ｃｄ）が検出されるが、漏れが発生した場合には、発光部材によって設定された光量が９０００（ｃｄ）であるものの、受光部材に入光する光量は４３００〜４５００（ｃｄ）に減少する。よって、漏れの発生を検知することができる。
【００２８】
この時、前記漏洩液体の粘度及び設置場所の傾きなどに応じてセンサーの検知位置を調節することができるため、漏洩液体の粘度の高低に関係なく検知することができる時間、すなわち、センサーの検知感度を調節することができるという利便性があるなどの効果がある。
【００２９】
添付の図３に示されているように、前記挿入連結具２０は、連結部１２の通孔に挿入され、外周面に山と谷が連続して形成された角度調節部２１ａを備える挿入部２１と、一体にハウジング３０と結合されるカバー部２２とを形成する構造であって、挿入部２１側には、係止突起２３が固定連結具１０の係止溝１３に係合されて相互分離が防止されている。
【００３０】
上述したように結合された固定連結具と挿入連結具、または挿入連結具とハウジングの分離は、挿入連結具とハウジングが弾性体で構成されており、外力を加えると容易に分離することができる。
【符号の説明】
【００３１】
１    液漏れ検知センサー
１０    固定連結具
１１    固定板
１１ａ    固定孔
１２    連結部
１２ａ    角度調節用突起
１３    係止溝
２０    挿入連結具
２１    挿入部
２１ａ    角度調節部
２２    カバー部
２３    係止突起
３０    ハウジング
４０    基板
５０    レンズ部
【図１ａ】
2021510413.tif 000003
【図１ｂ】
2021510413.tif 000004
【図２】
2021510413.tif 000005
【図３】
2021510413.tif 000006
【図４ａ】
2021510413.tif 000007
【図４ｂ】
2021510413.tif 000008
【図５】
2021510413.tif 000009
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
光源を用いた液漏れ検知センサーにおいて、
固定孔を有する固定板、及び前記固定板と一体に設けられ、角度調節用突起を有する連結部を備えた固定連結具と、
前記固定連結具の前記角度調節用突起が挿入される挿入連結具と、
前記挿入連結具に結合されるハウジングと、
前記ハウジングの内側に挿設され、光を受ける受光部及び光を発散する発光部が設置された基板と、
前記ハウジングに設置されたレンズ部とを含むことを特徴とする、感度調整機能を有する液漏れ検知センサー。
【請求項２】
前記挿入連結具は、前記連結部の通孔に嵌め込まれ、外周面に山と谷が連続して形成された角度調節部を備える挿入部と、一体に前記ハウジングに結合されるカバー部とを形成することを特徴とする、請求項１に記載の感度調整機能を有する液漏れ検知センサー。
【請求項３】
前記角度調節用突起は、前記連結部の前記通孔の内周面に突設され、一定の間隔で２つ以上備えられたことを特徴とする、請求項１に記載の感度調整機能を有する液漏れ検知センサー。
【請求項４】
前記連結部の前記通孔の前記内周面には係止溝が設けられ、前記通孔に挿入される前記挿入連結具の結合突起が前記係止溝に係合されて相互分離が防止されることを特徴とする、請求項１に記載の感度調整機能を有する液漏れ検知センサー。
【国際調査報告】
2021510413.tif 000010
2021510413.tif 000011
2021510413.tif 000012
2021510413.tif 000013